(57)【要約】【課題】受信装置の大型化を招くことなく、干渉成分を効率よく検出して、確実に内部干渉を抑えることができる受信装置を提供することを目的とする。【解決手段】ＦＰＣケーブルと、ＦＰＣケーブルに接続されるコネクタと、受信信号を受信する主アンテナ素子と、主アンテナ素子で受信した信号を復調する受信回路と、回路基板上に配置するノイズ信号回路と、ノイズ信号回路から発生するノイズ信号の振幅と位相を調節して前記主アンテナ素子で受信した信号に重畳する位相振幅調整回路と、位相振幅調整回路から出力される信号と主アンテナ素子から出力される信号を加算する加算回路と、コネクタの一構成要素として信号伝送手段を固定保持する保持手段と、保持手段の少なくとも一部が前記位相振幅調整回路に接続されたノイズ検出手段を備える。【選択図】図１
2011182359.tif 000002
【特許請求の範囲】
【請求項１】
回路基板と、
前記回路基板上の電気信号を伝送するための信号伝送手段と、
前記信号伝送手段に接続されるコネクタと、
受信信号を受信する主アンテナ素子と、
前記主アンテナ素子で受信した信号を復調する受信回路と、
前記回路基板上に配置するノイズ信号回路と、
前記ノイズ信号回路から発生するノイズ信号の振幅と位相を調節して前記主アンテナ素子で受信した信号に重畳する位相振幅調整回路と、
前記位相振幅調整回路から出力される信号と前記主アンテナ素子から出力される信号を加算する加算回路と、
前記コネクタの一構成要素として前記信号伝送手段を固定保持する保持手段と、
前記保持手段の少なくとも一部が前記位相振幅調整回路に接続されたノイズ検出手段と、を備えた受信装置。
【請求項２】
前記ノイズ検出手段と前記信号伝送手段とが近接することを特徴とする請求項１に記載の受信装置。
【請求項３】
前記ノイズ検出手段はループ状のアンテナであり、ループの内側に前記信号伝送手段の少なくとも一部が配置されることを特徴とする請求項１ないし請求項２に記載の受信装置。
【請求項４】
前記ノイズ検出手段は、複数のアンテナ素子で構成されることを特徴とする請求項１ないし請求項３に記載の受信装置。
【発明の詳細な説明】
【技術分野】
【０００１】
本発明は、受信装置およびその受信装置を使用する無線装置に関するものである。
【背景技術】
【０００２】
従来、通信および放送に用いられる、無線信号を受信する受信装置においては、ＣＰＵやメモリ等の回路、受信信号を処理する演算回路、または、それらを動作させる基準クロック発生器等が発生する信号やその信号の高調波成分が受信信号の無線周波数帯域における干渉成分となって、受信信号の品質を劣化させるという内部干渉の問題がある。
近年受信装置は多機能化が進み、その内部に内蔵する回路は増加する一方である。また、受信装置内部で取り扱う信号もディジタル化が進むとともに、処理速度や処理する情報量も増加している。また、受信装置はより一層の小型化が求められ、信号を受信するアンテナも小型化や内蔵化が進んでいる。このため、内部干渉の干渉成分は増加している。また、受信装置の小型化により干渉成分を発生する回路と受信アンテナとの結合が大きくなることにより、内部干渉の問題は一層大きくなっている。
この問題に対する対策のため、回路配置の最適化や、干渉成分の不要な放射を抑圧するための部品（例えば、バイパスコンデンサ、チョークコイル、フィルタ、シールド等）の追加等が行われることがある。このような、回路配置の最適化および部品追加は、受信装置の設計工数の増加や原価の増加、受信装置の大型化をもたらしてしまう。
そこで、以下のように、内部干渉を抑圧する様々な技術が提案されている。
例えば、機器内で発生するノイズを検出し、検出したノイズを受信信号に干渉成分として重畳されているノイズ信号と逆相および同振幅に制御し、制御後のノイズを受信信号に加算してノイズを抑圧する技術がある（例えば、特許文献１参照）。図８は、前記特許文献１に記載された従来の受信装置を示している。
図５において、従来の受信装置２００は、例えば、受信信号から復調した映像信号を表示する装置であり、不示図の筐体内部に、表示素子１０９ａ（例えば、液晶ディスプレイ）が設けられている。
受信装置２００の主アンテナ素子１０１は、例えば、モノポールアンテナとして動作するものであり、受信信号および受信信号の干渉成分となる機器内で発生したノイズ信号１１１ａを受信して、受信した信号は加算回路１０２に出力される。
加算回路１０２は、主アンテナ素子１０１から出力される受信信号及びノイズ信号１１１ａと、可変利得位相回路１０６から出力される信号とを加算し、加算された信号は受信回路１０３に出力される。
受信回路１０３は、加算回路１０２から出力される信号を復調し、復調後の信号をＣＰＵ１０７に出力する。
ＣＰＵ１０７は、受信回路１０３から出力される信号から表示素子１０９ａにおいて映像を表示可能な信号を生成し、生成した映像信号は信号ライン１１０ａを通じて、表示素子１０９ａに出力される。
信号ライン１１０ａは、ＣＰＵ１０７と表示素子１０９ａを接続した配線であり、その配線の途中は、例えば、フレキシブルプリント基板用のＦＰＣコネクタ１１３を介して、フレキシブルプリント基板で形成されたＦＰＣ１１２上の銅箔パターンや銅線を通じて、ＣＰＵ１０７が生成した映像信号を表示素子１０９ａへ伝送する。
ＣＰＵ１０７は、例えば、映像信号を生成する際に、受信信号の干渉成分となるノイズ信号１１１ａをＣＰＵ１０７内部で発生させて、ノイズ信号１１１ａはＦＰＣ１１２上の信号ライン１１０ａから放射される。
表示素子１０９ａは、ＣＰＵ１０７から出力される映像信号に基づいて映像を表示する。
【０００３】
ノイズ検出アンテナ素子２０１は、例えば、ＦＰＣ１１２上の銅箔パターンや銅線で形成され、信号ライン１１０ａから放射されるノイズ信号１１１ａを検出するために信号ライン１１０ａの近傍に配設し、ノイズ信号１１１ａを十分なレベルで検出できるように信号ライン１１０ａに対して、平行に沿うよう近接された構造や、信号ライン１１０ａを横切って構造で配設される。
ノイズ検出アンテナ素子２０１は、受信信号の干渉成分となるノイズ信号１１１ａを検出し、整合回路１０５を介して検出した信号を可変利得位相回路１０６に出力する。
整合回路１０５は、可変利得位相回路１０６に接続されており、例えば、コンデンサやインダクタ、抵抗器等の部品を用いて回路を形成されており、ノイズ検出アンテナ素子２０１のインピーダンスを可変利得位相回路１０９の入力インピーダンスに整合させる
可変利得位相回路１０６は、検出したノイズ信号１１１ａの位相成分と振幅成分を可変制御し、検出したノイズ信号１１１ａと逆位相および同振幅の信号を生成し、生成した信号を加算回路１０２に出力する。
主アンテナ素子１０３から出力される受信信号及びノイズ信号１１１ａと、可変利得位相回路１０６から出力される信号とが加算回路１０２によって加算されることにより、受信信号に重畳されたノイズ信号成分は抑圧される。
【０００４】
このように、従来の受信装置２００は、ＣＰＵなどの部品や基板回路パターンなどの特定のノイズ発生源の極めて近傍に、干渉成分となるノイズを検出するノイズ検出アンテナを配置して、所望のノイズ成分のみを高いレベルで検出して、受信信号の品質を劣化させるという内部干渉を抑圧するものである。
【先行技術文献】
【特許文献】
【０００５】
【特許文献１】米国特許出願公開第２００６／０１７８１５７号明細書
【発明の概要】
【発明が解決しようとする課題】
【０００６】
しかしながら、上記特許文献１記載の技術では、ＦＰＣ１１２上にノイズ検出アンテナ素子２０１を形成することにより、ＦＰＣ１１２が大型化してしまう。更に、複数のノイズ検出アンテナ素子２０１を形成する場合には、ＦＰＣ１１２用のＦＰＣコネクタの接続端子数が多くなってしまうことによって、ＦＰＣコネクタ１１３も大型化してしまい、受信装置等の大型化を招いてしまう。
本発明は、上記課題を解決するために、受信装置の大型化を招くことなく、干渉成分を効率よく検出して、確実に内部干渉を抑えることができる受信装置を提供することができる。
【課題を解決するための手段】
【０００７】
前記従来の課題を解決するため、本発明の受信装置は、ＦＰＣケーブルと、ＦＰＣケーブルに接続されるコネクタと、受信信号を受信する主アンテナ素子と、主アンテナ素子で受信した信号を復調する受信回路と、回路基板上に配置するノイズ信号回路と、ノイズ信号回路から発生するノイズ信号の振幅と位相を調節して前記主アンテナ素子で受信した信号に重畳する位相振幅調整回路と、位相振幅調整回路から出力される信号と主アンテナ素子から出力される信号を加算する加算回路と、コネクタの一構成要素として信号伝送手段を固定保持する保持手段と、保持手段の少なくとも一部が前記位相振幅調整回路に接続されたノイズ検出手段を備える。
上記構成によれば、受信装置の大型化を招くことなく、干渉成分を効率よく検出して、確実に内部干渉を抑えることができる。
【発明の効果】
【０００８】
以上のように、本発明の受信装置によれば、受信装置の大型化を招くことなく、干渉成分を効率よく検出して、確実に内部干渉を抑えることができる。
【図面の簡単な説明】
【０００９】
【図１】本発明の実施の形態１に係る受信装置の構成図
【図２】（Ａ）本発明の実施の形態１に係るＦＰＣコネクタの構成を示す第１斜視図（Ｂ）本発明の実施の形態１に係るＦＰＣコネクタの構成を示す第１断面図（Ｃ）本発明の実施の形態１に係るＦＰＣコネクタの構成を示す第２断面図（Ｄ）本発明の実施の形態１に係るＦＰＣコネクタの構成を示す第３断面図（Ｅ）本発明の実施の形態１に係るＦＰＣの構成を示す斜視図（Ｆ）本発明の実施の形態１に係るＦＰＣの構成を示す断面図（Ｇ）本発明の実施の形態１に係るＦＰＣコネクタの構成を示す第２斜視図（Ｈ）本発明の実施の形態１に係るＦＰＣコネクタの構成を示す第３斜視図
【図３】本発明の実施の形態２に係るＦＰＣコネクタの構成を示す斜視図
【図４】（Ａ）本発明の実施の形態３に係るＦＰＣコネクタの構成を示す第１斜視図（Ｂ）本発明の実施の形態３に係るＦＰＣコネクタの構成を示す第１断面図（Ｃ）本発明の実施の形態３に係るＦＰＣコネクタの構成を示す第２斜視図（Ｄ）本発明の実施の形態３に係るＦＰＣコネクタの構成を示す第２断面図
【図５】従来の受信装置の構成図
【発明を実施するための形態】
【００１０】
以下に、本発明の実施の形態について、図面を参照しながら説明する。
（実施の形態１）
図１は本発明の第１の実施形態を説明するための受信装置の構成図である。図１において、図５と同じ構成については同一の符号を付して説明を省略する。
【００１１】
第１の実施形態では、受信装置として携帯型の受信装置を例にとって説明する。
図１に示すように、受信装置１００は、撮像素子１０９ｂ（例えば、ディジタルカメラ）が設けられている。
【００１２】
撮像素子１０９ｂでは、撮像した撮像データからディジタル処理によって撮像信号を生成し、生成された撮像信号は信号ライン１１０ｂ通じてＣＰＵ１０７に出力される。
信号ライン１１０ｂは、ＣＰＵ１０７と撮像素子１０９ｂを接続した配線であり、その配線の途中は、例えば、フレキシブルプリント基板用のＦＰＣコネクタ１１３を介して、フレキシブルプリント基板で形成されたＦＰＣ１１２上の銅箔パターンや銅線を通じて、撮像素子１０９ｂが生成した撮像信号をＣＰＵ１０７へ伝送する。
ＣＰＵ１０７は、撮像素子１０９ｂから出力される撮像信号から表示素子１０９ａにおいて映像を表示可能な信号を生成し、生成した映像信号は信号ライン１１０ａを通じて、表示素子１０９ａに出力される。
【００１３】
撮像素子１０９ｂは、例えば、撮像信号を生成する際に、受信信号の干渉成分となるノイズ信号１１１ｂを撮像素子１０９ｂ内部で発生させて、ノイズ信号１１１ｂはＦＰＣ１１２上の信号ライン１１０ｂから放射される。
表示素子１０９ａは、ＣＰＵ１０７から出力される撮像信号や映像信号に基づいて映像を表示する。
【００１４】
ＦＰＣコネクタ１１３には、ＦＰＣ１１２上の信号ライン１１０ａ及び１１０ｂから放射されるノイズ信号１１１ａ及び１１１ｂを検出するノイズ検出アンテナ素子１０４が設けられている。
【００１５】
ノイズ検出アンテナ素子１０４は、信号ライン１１１ａ及び１１１ｂから放射されるノイズ信号１１１ａ及び１１１ｂを検出でき、かつＦＰＣコネクタ１１３のＦＰＣ固定レバーと兼用される形状に成型された導電性の金属であり、例えば、メッキ処理された銅板で形成されたものである。
【００１６】
整合回路１０５は、可変利得位相回路１０６に接続されており、例えば、コンデンサやインダクタ、抵抗器等の部品を用いて回路を形成されており、ノイズ検出アンテナ素子１０４のインピーダンスを可変利得位相回路１０９の入力インピーダンスに整合させる。
【００１７】
次に、本発明の第１の実施形態を説明するための受信装置におけるＦＰＣコネクタの構成を説明する。
【００１８】
図２Ａは本発明の第１の実施形態を説明するための受信装置におけるＦＰＣコネクタの構成を示す第１斜視図である。
図２Ｂ及び図２Ｃは、本発明の実施の形態１を説明するための受信装置におけるＦＰＣコネクタの構成を示す第１及び第２断面図であり、図２Ａ上の断面Ａにおける断面図である。
図２Ｄは、本発明の実施の形態１を説明するための受信装置におけるＦＰＣコネクタの構成を示す第３断面図であり、図２Ａ上の断面Ｂにおける断面図である。
図２Ｅは、本発明の実施の形態１を説明するための受信装置におけるＦＰＣの構成を示す斜視図である。
図２Ｆは、本発明の実施の形態１を説明するための受信装置におけるＦＰＣの構成を示す断面図であり、図２Ｅ上の断面Ｃにおける断面図である。
図２Ｇは、本発明の実施の形態１を説明するための受信装置におけるＦＰＣコネクタの構成を示す第２斜視図である。
図２Ｈは、本発明の実施の形態１を説明するための受信装置におけるＦＰＣコネクタの構成を示す第３斜視図である。
図２Ａ、図２Ｂ、図２Ｃ、図２Ｄ、図２Ｅ、図２Ｆ、図２Ｇ及び図２Ｈにおいて、図１及び図５と同じ構成については同一の符号を付して説明を省略する。
図２Ａ、図２Ｂ、図２Ｃ、図２Ｄ、図２Ｇ及び図２Ｈに示すように、ＦＰＣコネクタ１１３には、コネクタの台座であるハウジング１が設けられる。
ハウジング１は、例えば、非導電性の材料であり、絶縁体である樹脂の成形品が用いられている。
【００１９】
ハウジング１には、ＦＰＣ１１２がＦＰＣコネクタ１１３に勘合した場合に、ＦＰＣ１１２上の各信号ライン１１０と接触して電気的に接続するコネクタ端子２と、アンテナ給電端子３が設けられる。
コネクタ端子２は、例えば、メッキ処理された導電性の金属が用いられ、不示図のプリント基板回路上の銅箔等で形成された信号ラインに、例えば、バネ接触や半田付けにより電気的に接続される。
アンテナ給電端子３は、例えば、メッキ処理された導電性の金属が用いられ、ノイズ検出アンテナ素子１０４に導通しているアンテナ接点端子４と不示図のプリント基板回路上の整合回路１０５に、例えば、バネ接触や半田付けにより電気的に接続される。
アンテナ接点端子４は、ノイズ検出アンテナ素子１０４と電気的に導通して接続した端子であり、例えば、ノイズ検出アンテナ素子１０４の導体板上の凸状に形成したものやバネ形状に形成したものでもよい。
ノイズ検出アンテナ素子１０４は、例えば、不示図のプリント基板回路上の接地電位であるグランドパターンに対して、不平衡給電されたアンテナ素子であり、例えば、モノポールアンテナとして動作するものであり、導電性の導体板、導線や印刷パターンで形成したものでもよい。
ノイズ検出アンテナ素子１０４は、ＦＰＣ１１２がＦＰＣコネクタ１１３に勘合した場合に、勘合状態を保つためにＦＰＣ１１２を固定保持するレバー（ＦＰＣ固定レバーと呼ばれる）の形状に成型された導電性の導体板であり、台座であるハウジング１に、回転軸５によって回動自在に連結され、回動させることでＦＰＣ１１２がＦＰＣコネクタ１１３に勘合したフリップロック状態と、勘合されていないフリップオープン状態の２つの状態をとることができる。
フリップロック状態とは、図２Ｃ及び図２Ｄに示すように、ノイズ検出アンテナ素子１０４がＦＰＣ１１２を固定保持して、ＦＰＣ１１２の各信号ライン１１０とコネクタ端子２が接触して電気的に接続した勘合状態である。
フリップオープン状態とは、図２Ａ及び図２Ｂに示すように、ノイズ検出アンテナ素子１０４がＦＰＣ１１２を固定保持せずに、ＦＰＣ１１２がＦＰＣコネクタ１１３に取付けまたは取外しすることができ、勘合されていない状態である。
図２Ｅ及び図２Ｆに示すように、ＦＰＣ１１２は、信号ライン１１０ａ及び１１０ｂを含む複数の信号ライン１１０はベースフィルム６ａとカバーフィルム６に挟まれ張り合わした層構成で形成されており、ベースフィルム６ａ及びカバーフィルム６は、例えば、フィルム状の絶縁体であるポリイミド膜が用いられ、信号ライン１１０は銅箔等の導電性である導体箔が用いられる。
図２Ｆに示すように、信号ライン１１０がベースフィルムで覆われていない部分が、ＦＰＣコネクタ１１３にＦＰＣ１１２が勘合された場合に、コネクタ端子２と電気的に導通して接続される。
図２Ｃに示すように、フリップロック状態では、ノイズ検出アンテナ素子１０４がＦＰＣ１１２を固定保持して、かつ、ＦＰＣ１１２の各信号ライン１１０上に近接して覆うような形状に形成することによって、ノイズ検出アンテナ素子１０４と信号ライン１１０ａ及び１１０ｂが電磁結合して、信号ライン１１０ａ及び１１０ｂから放射されるノイズ信号１１１ａ及び１１１ｂを十分に高い信号レベルで検出することができる。
また、図２Ｄに示すように、フリップロック状態では、アンテナ接点端子４とアンテナ給電端子３が、例えば、バネ接触して電気的に接続されて、ノイズ検出アンテナ素子１０４によって検出されたノイズ信号１１１ａ及び１１１ｂはアンテナ給電端子３を介して不示図のプリント基板回路上の整合回路１０５に出力される。
また、図２Ａ、図２Ｂ、図２Ｃ及び図２Ｄに示すように、ノイズ検出アンテナ素子１０４自体が、ＦＰＣ１１２を固定保持するレバーの形状の導体板とした一例として挙げたが、例えば、ＦＰＣ固定レバーとなる形状に樹脂で成形されたものに、ノイズ検出アンテナ素子１０４となる銅板等の導体板、導線や印刷パターンで形成したものを取り付けたものでもよい。
図２Ｇに示すように、ノイズ検出アンテナ素子１０４ａは、例えば、ＦＰＣ固定レバー７上にミアンダ形状に形成されたモノポールアンテナ素子として動作するものであり、ＦＰＣ固定レバー７上に配設された導電性の導体板、導線や印刷パターンで形成したものでもよい。
ＦＰＣ１１２とＦＰＣコネクタ１１３とが勘合した場合のフリップロック状態では、ノイズ検出アンテナ素子１０４ａがＦＰＣ１１２を固定保持して、かつ、ＦＰＣ１１２の各信号ライン１１０上に近接して重なる形状に形成することによって、ノイズ検出アンテナ素子１０４ａと信号ライン１１０ａ及び１１０ｂが電磁結合して、信号ライン１１０ａ及び１１０ｂから放射されるノイズ信号１１１ａ及び１１１ｂを十分に高い信号レベルで検出することができる。
【００２０】
また、図２Ｈに示すように、ノイズ検出アンテナ素子１０４ｂは、例えば、ＦＰＣ固定レバー７上にくし形状に形成されたモノポールアンテナ素子として動作するものであり、ＦＰＣ固定レバー７上に配設された導電性の導体板、導線や印刷パターンで形成したものでもよい。
ＦＰＣ１１２とＦＰＣコネクタ１１３とが勘合した場合のフリップロック状態では、ノイズ検出アンテナ素子１０４ｂがＦＰＣ１１２を固定保持して、かつ、ＦＰＣ１１２の各信号ライン１１０上に近接して重なる形状に形成することによって、ノイズ検出アンテナ素子１０４ｂと信号ライン１１０ａ及び１１０ｂが電磁結合して、信号ライン１１０ａ及び１１０ｂから放射されるノイズ信号１１１ａ及び１１１ｂを十分に高い信号レベルで検出することができる。
以上のように構成された受信装置において、ノイズ検出アンテナ素子１０４、１０４ａ及び１０４ｂは、勘合時のＦＰＣ固定レバーとしてＦＰＣを固定保持しつつ、かつ、ＦＰＣ１１２上の信号ライン１１０ａ及び１１０ｂから放射されるノイズ信号１１１ａ及び１１１ｂを効率よく検出することができる。
このように、本実施の形態によれば、受信装置の大型化を招くことなく、干渉成分を効率よく検出して、確実に内部干渉を抑えることができる。
【００２１】
なお、本実施の形態におけるノイズ検出アンテナ素子１０４、１０４ａ及び１０４ｂの素子は、信号ライン１１０との容量結合及び誘電結合による電磁結合により、検出するノイズ信号１１１ａ及び１１１ｂの所望の周波数に応じた形状及び寸法として形成されたものであれば、上記同様の構成を採ることができ、同様な効果を得ることができる。
【００２２】
なお、本実施の形態におけるノイズ検出アンテナ素子１０４、１０４ａ及び１０４ｂと
信号ライン１１０との近接する距離としては、互いの隙間が1ｍｍ以下に密着した構成であることが望ましい。
【００２３】
なお、本実施の形態では、ＣＰＵ１０７や撮像素子１０９ｂを一例としてノイズ源として挙げたが、ノイズ源は、例えば、映像信号を保持するメモリ回路や、ＤＣ／ＤＣ電源等の電源回路、液晶ディスプレイのバックライト回路等で、ＦＰＣ１１２の信号ライン１１０に接続される回路であればよく、信号ライン１１０ａ及び１１０ｂから放射されるノイズ信号１１１ａ及び１１１ｂ以外のノイズ信号が信号ライン１１０から放射される場合であっても、上記同様の構成を採ることができ、同様な効果を得ることができる。
【００２４】
（実施の形態２）
図３は本発明の第２の実施形態を説明するための受信装置におけるＦＰＣコネクタの構成を示す斜視図である。
【００２５】
図３において、図２Ａ、図２Ｂ、図２Ｃ、図２Ｄ、図２Ｅ、図２Ｆ、図２Ｇ及び図２Ｈ及び図５と同じ構成については同一の符号を付して説明を省略する。
【００２６】
第２の実施形態では、受信装置におけるノイズ検出アンテナが複数配設した場合を例にとって説明する。
【００２７】
図３に示すように、ＦＰＣコネクタ１１３には、ＦＰＣ固定レバー７上に、ノイズ検出アンテナ素子１０４ｃ及び１０４ｄが設けられる。
【００２８】
ノイズ検出アンテナ素子１０４ｃ及び１０４ｄは、ＦＰＣ固定レバー７上に配設された導電性の導体板、導線や印刷パターンで形成したものでもよい。
【００２９】
アンテナ接点端子４ａは、ノイズ検出アンテナ素子１０４ｃと電気的に導通して接続した端子であり、例えば、ノイズ検出アンテナ素子１０４ｃの導体板上の凸状に形成したものやバネ形状に形成したものでもよい。
【００３０】
同様に、アンテナ接点端子４ｂは、ノイズ検出アンテナ素子１０４ｄと電気的に導通して接続した端子であり、例えば、ノイズ検出アンテナ素子１０４ｄの導体板上の凸状に形成したものやバネ形状に形成したものでもよい。
【００３１】
アンテナ給電端子３ａは、例えば、メッキ処理された導電性の金属が用いられ、ノイズ検出アンテナ素子１０４ｃに導通しているアンテナ接点端子４ａと不示図のプリント基板回路上の整合回路１０５に、例えば、バネ接触や半田付けにより電気的に接続される。
【００３２】
同様に、アンテナ給電端子３ｂは、例えば、メッキ処理された導電性の金属が用いられ、ノイズ検出アンテナ素子１０４ｄに導通しているアンテナ接点端子４ｂと不示図のプリント基板回路上の整合回路１０５に、例えば、バネ接触や半田付けにより電気的に接続される。
【００３３】
アンテナ素子１０４ｃは、ＦＰＣ固定レバー７上に、例えば、ミアンダ形状に形成されたモノポールアンテナ素子として動作するものであり、フリップロック状態では、ノイズ検出アンテナ素子１０４ｃがＦＰＣ１１２を固定保持して、かつ、ＦＰＣ１１２の各信号ライン１１０上に近接して重なる形状に形成することによって、ノイズ検出アンテナ素子１０４ｃと信号ライン１１０ａ及び１１０ｂが電磁結合して、信号ライン１１０ａ及び１１０ｂから放射されるノイズ信号１１１ａ及び１１１ｂを十分に高い信号レベルで検出することができる。
【００３４】
同様に、アンテナ素子１０４ｄは、ＦＰＣ固定レバー７上に、例えば、棒状に形成されたモノポールアンテナ素子として動作するものであり、フリップロック状態では、ノイズ検出アンテナ素子１０４ｄがＦＰＣ１１２を固定保持して、かつ、ＦＰＣ１１２の各信号ライン１１０上に近接して重なる形状に形成することによって、ノイズ検出アンテナ素子１０４ｄと信号ライン１１０ａ及び１１０ｂが電磁結合して、信号ライン１１０ａ及び１１０ｂから放射されるノイズ信号１１１ａ及び１１１ｂを十分に高い信号レベルで検出することができる。
【００３５】
以上のように構成された受信装置において、ノイズ検出アンテナ素子１０４ｃ及び１０４ｄは、勘合時のＦＰＣ固定レバーとしてＦＰＣを固定保持しつつ、かつ、ＦＰＣ１１２上の信号ライン１１０ａ及び１１０ｂから放射されるノイズ信号１１１ａ及び１１１ｂを複数のノイズ検出アンテナ素子によって効率よく検出することができる。
【００３６】
このように、本実施の形態によれば、受信装置の大型化を招くことなく、干渉成分を効率よく検出して、確実に内部干渉を抑えることができる。
【００３７】
なお、本実施の形態におけるノイズ検出アンテナ素子１０４ｃ及び１０４ｄの素子は、信号ライン１１０との容量結合及び誘電結合による電磁結合により、検出するノイズ信号１１１ａ及び１１１ｂの所望の周波数に応じた形状及び寸法として形成されたものであれば、上記同様の構成を採ることができ、同様な効果を得ることができる。
【００３８】
なお、本実施の形態におけるノイズ検出アンテナ素子１０４ｃ及び１０４ｄと信号ライン１１０との近接する距離としては、互いの隙間が1ｍｍ以下に密着した構成であることが望ましい。
【００３９】
なお、ノイズ検出アンテナ素子１０４ｃと１０４ｄの素子長や形状を同一にせずに、ノイズ検出アンテナ素子１０４ｃ及び１０４ｄの動作周波数を異なった特性にすることで、例えば、検出されるノイズ信号の周波数特性を広帯域化することができ、ノイズ信号１１１ａ及び１１１ｂを複数のノイズ検出アンテナ素子によって効率よく検出することができる。
【００４０】
なお、本実施の形態では、ＣＰＵ１０７や撮像素子１０９ｂを一例としてノイズ源として挙げたが、ノイズ源は、例えば、映像信号を保持するメモリ回路や、ＤＣ／ＤＣ電源等の電源回路、液晶ディスプレイのバックライト回路等で、ＦＰＣ１１２の信号ライン１１０に接続される回路であればよく、信号ライン１１０ａ及び１１０ｂから放射されるノイズ信号１１１ａ及び１１１ｂ以外のノイズ信号が信号ライン１１０から放射される場合であっても、上記同様の構成を採ることができ、同様な効果を得ることができる。
【００４１】
（実施の形態３）
図４Ａ及び図４Ｃは本発明の第３の実施形態を説明するための受信装置におけるＦＰＣコネクタの構成を示す第１及び第２斜視図である。
【００４２】
図４Ｂは、本発明の実施の形態３を説明するための受信装置におけるＦＰＣコネクタの構成を示す第１断面図であり、図４Ａ上の断面Ｄにおける断面図である。
【００４３】
図４Ｄは、本発明の実施の形態３を説明するための受信装置におけるＦＰＣコネクタの構成を示す第２断面図であり、図４Ｃ上の断面Ｅにおける断面図である。
【００４４】
図４Ａ、図４Ｂ、図４Ｃ及び図４Ｄにおいて、図２Ａ、図２Ｂ、図２Ｃ、図２Ｄ、図２Ｅ、図２Ｆ、図２Ｇ及び図２Ｈ及び図５と同じ構成については同一の符号を付して説明を省略する。
【００４５】
第３の実施形態では、受信装置におけるノイズ検出アンテナがループアンテナ動作した場合を例にとって説明する。
【００４６】
図４Ａ及び図４Ｂに示すように、ＦＰＣコネクタ１１３には、ＦＰＣ固定レバー７上に、ループアンテナとして動作するノイズ検出アンテナ素子１０４ｅが備えられる。
【００４７】
ノイズ検出アンテナ素子１０４ｅは、ループ状を形成しており、ループの一端にはアンテナ接点４ｃが接続され、もう一方の他端にアンテナ接点４ｄが接続される。
【００４８】
ハウジング１には、勘合時にアンテナ接点４ｃと導通して電気的に接続するアンテナ給電端子３ｃが備えられ、同様に、アンテナ接点４ｄと導通して電気的に接続するアンテナ給電端子３ｄが備えられる。
【００４９】
図４Ｂに示すように、ＦＰＣ１１２がＦＰＣコネクタ１１３に勘合された場合、ＦＰＣ固定レバー７上のノイズ検出アンテナ素子１０４ｅは勘合状態を保つためにＦＰＣ１１２を固定保持するものであり、ＦＰＣ固定レバー７は台座であるハウジング１に、回転軸５によって回動自在に連結され、回動させることでＦＰＣ１１２がＦＰＣコネクタ１１３に勘合したフリップロック状態と、勘合されていないフリップオープン状態の２つの状態をとることができる。
【００５０】
ノイズ検出アンテナ素子１０４ｅは、ＦＰＣ固定レバー７上に配設された導電性の導体板、導線や印刷パターンで形成したものでもよい。
【００５１】
フリップロック状態とは、図４Ｂに示すように、ノイズ検出アンテナ素子１０４ｅがＦＰＣ１１２を固定保持して、ＦＰＣ１１２の各信号ライン１１０とコネクタ端子２が接触して電気的に接続した勘合状態である。
【００５２】
フリップオープン状態とは、図４Ａ示すように、ノイズ検出アンテナ素子１０４ｅがＦＰＣ１１２を固定保持せずに、ＦＰＣ１１２がＦＰＣコネクタ１１３に取付けまたは取外しすることができ、勘合されていない状態である。
【００５３】
図４Ｂに示すように、フリップロック状態では、ノイズ検出アンテナ素子１０４ｅがＦＰＣ１１２を固定保持して、かつ、ＦＰＣ１１２の各信号ライン１１０上にループ状のノイズ検出アンテナ素子１０４ｅが近接して覆うような形状に形成することによって、ノイズ検出アンテナ素子１０４ｅと信号ライン１１０ａ及び１１０ｂが電磁結合して、信号ライン１１０ａ及び１１０ｂから放射されるノイズ信号１１１ａ及び１１１ｂを十分に高い信号レベルで検出することができる。
【００５４】
また、図４Ｂに示すように、フリップロック状態では、アンテナ接点端子４ｃとアンテナ給電端子３ｃが、例えば、バネ接触して電気的に接続されて、同様に、アンテナ接点端子４ｄとアンテナ給電端子３ｄが、例えば、バネ接触して電気的に接続されて、ノイズ検出アンテナ素子１０４ｅによって検出されたノイズ信号１１１ａ及び１１１ｂはアンテナ給電端子３ｃ及び３ｄを介して不示図のプリント基板回路上の整合回路１０５に出力される。
【００５５】
図４Ｃ及び図４Ｄに示すように、ＦＰＣコネクタ１１３には、ＦＰＣ固定レバー７上に、ループアンテナとして動作するノイズ検出アンテナ素子１０４ｅ及びハウジング１に設けられたノイズ検出アンテナ素子１０４ｆが備えられる。
【００５６】
ノイズ検出アンテナ素子１０４ｅ一端にはアンテナ接点４ｃが接続され、もう一方の他端にアンテナ接点４ｅが接続される。
【００５７】
ハウジング１には、勘合時にアンテナ接点４ｃと導通して電気的に接続するアンテナ給電端子３ｃが備えられ、同様に、アンテナ接点４ｅと導通して電気的に接続するループアンテナ用接点８が備えられる。
【００５８】
ハウジング１には、ループアンテナ用接点８とアンテナ給電端子３ｃとを接続するノイズ検出アンテナ素子１０４ｆが設けられ、ＦＰＣ１１２がＦＰＣコネクタ１１３に勘合した場合には、ノイズ検出アンテナ素子１０４ｅと１０４ｆは、ループアンテナ用接点８を介して導通される。
【００５９】
図４Ｄに示すように、ＦＰＣ１１２がＦＰＣコネクタ１１３に勘合された場合に、ＦＰＣ固定レバー７上のノイズ検出アンテナ素子１０４ｅは勘合状態を保つためにＦＰＣ１１２を固定保持するものであり、ＦＰＣ固定レバー７は台座であるハウジング１に、回転軸５によって回動自在に連結され、回動させることでＦＰＣ１１２がＦＰＣコネクタ１１３に勘合したフリップロック状態と、勘合されていないフリップオープン状態の２つの状態をとることができる。
【００６０】
ノイズ検出アンテナ素子１０４ｅ及び１０４ｆは、ＦＰＣ固定レバー７上やハウジング１に配設された導電性の導体板、導線や印刷パターンで形成したものでもよい。
【００６１】
フリップロック状態とは、図４Ｄに示すように、ノイズ検出アンテナ素子１０４ｅがＦＰＣ１１２を固定保持して、ＦＰＣ１１２の各信号ライン１１０とコネクタ端子２が接触して電気的に接続した勘合状態である。
【００６２】
フリップオープン状態とは、図４Ｃ示すように、ノイズ検出アンテナ素子１０４ｅがＦＰＣ１１２を固定保持せずに、ＦＰＣ１１２がＦＰＣコネクタ１１３に取付けまたは取外しすることができ、勘合されていない状態である。
【００６３】
図４Ｄに示すように、フリップロック状態では、ノイズ検出アンテナ素子１０４ｅがＦＰＣ１１２を固定保持して、かつ、ノイズ検出アンテナ素子１０４ｅ及び１０４ｆは、ＦＰＣ１１２の各信号ライン１１０の周囲を囲むようなループ状であり、信号ライン１１０に近接して覆うような形状に形成することによって、ノイズ検出アンテナ素子１０４ｅ及び１０４ｆは、信号ライン１１０ａ及び１１０ｂが電磁結合して、信号ライン１１０ａ及び１１０ｂから放射されるノイズ信号１１１ａ及び１１１ｂを十分に高い信号レベルで検出することができる。
【００６４】
また、図４Ｄに示すように、フリップロック状態では、アンテナ接点端子４ｃとアンテナ給電端子３ｃが、例えば、バネ接触して電気的に接続されて、同様に、アンテナ接点端子４ｅとループアンテナ用接点８が、例えば、バネ接触して電気的に接続されて、ノイズ検出アンテナ素子１０４ｅ及び１０４ｆによって検出されたノイズ信号１１１ａ及び１１１ｂはアンテナ給電端子３ｃ及び３ｄを介して不示図のプリント基板回路上の整合回路１０５に出力される。
【００６５】
以上のように構成された受信装置において、ノイズ検出アンテナ素子１０４ｅ及び１０４ｆは、勘合時のＦＰＣ固定レバーとしてＦＰＣを固定保持しつつ、かつ、ＦＰＣ１１２上の信号ライン１１０ａ及び１１０ｂから放射されるノイズ信号１１１ａ及び１１１ｂを効率よく検出することができる。
【００６６】
このように、本実施の形態によれば、受信装置の大型化を招くことなく、干渉成分を効率よく検出して、確実に内部干渉を抑えることができる。
【００６７】
なお、本実施の形態におけるノイズ検出アンテナ素子１０４ｅ及び１０４ｆの素子は、信号ライン１１０との容量結合及び誘電結合による電磁結合により、検出するノイズ信号１１１ａ及び１１１ｂの所望の周波数に応じた形状及び寸法として形成されたものであれば、上記同様の構成を採ることができ、同様な効果を得ることができる。
【００６８】
なお、本実施の形態におけるノイズ検出アンテナ素子１０４ｅ及び１０４ｆと信号ライン１１０との近接する距離としては、互いの隙間が1ｍｍ以下に密着した構成であることが望ましい。
【００６９】
なお、本実施の形態では、ＣＰＵ１０７や撮像素子１０９ｂを一例としてノイズ源として挙げたが、ノイズ源は、例えば、映像信号を保持するメモリ回路や、ＤＣ／ＤＣ電源等の電源回路、液晶ディスプレイのバックライト回路等で、ＦＰＣ１１２の信号ライン１１０に接続される回路であればよく、信号ライン１１０ａ及び１１０ｂから放射されるノイズ信号１１１ａ及び１１１ｂ以外のノイズ信号が信号ライン１１０から放射される場合であっても、上記同様の構成を採ることができ、同様な効果を得ることができる。
【産業上の利用可能性】
【００７０】
本発明にかかる導電板携帯電話等の小型の通信端末装置に特に有用である。
【符号の説明】
【００７１】
１００    受信装置
１０１    主アンテナ素子
１０２    加算回路
１０３    受信回路
１０４，１０４ａ〜１０４ｆ    ノイズ検出アンテナ素子
１０５    整合回路
１０６    可変利得位相回路
１０７    ＣＰＵ
１０８    制御回路
１０９ａ    表示素子
１０９ｂ    撮像素子
１１０，１１０ａ，１１０ｂ    信号ライン
１１ａ，１１１ｂ    ノイズ信号
１１２    ＦＰＣ
１１３    ＦＰＣコネクタ
２０１    従来のノイズ検出アンテナ素子
１    ハウジング
２    コネクタ端子
３,３ａ，３ｂ，３ｃ，３ｄ    アンテナ給電端子
４,４ａ，４ｂ，４ｃ，４ｄ，４ｅ    アンテナ接点
５    回転軸
６    カバーフィルム
７    ＦＰＣ固定レバー
８    ループアンテナ用接点
【図１】
2011182359.tif 000003
【図２】
2011182359.tif 000004
【図３】
2011182359.tif 000005
【図４】
2011182359.tif 000006
【図５】
2011182359.tif 000007